(57)【要約】【課題】ディスプレイパネルをアームの出し入れによりディスプレイパネルを傾動動作させるためにアームの下部結合点に設けたブッシュにシールド機構を設けたブッシュコネクタを提供する。【解決手段】ブッシュコネクタは、装置本体の前面部にアームの出し入れによって傾動自在に取付けられたディスプレイパネルを備えたカーナビゲーション装置であって、前記アームの先端側に設けた貫通孔に、鍔部を設け円筒形状に形成したブッシュを介在させ、前記ディスプレイパネル側に設けた係合穴にネジで螺合して、前記ディスプレイパネルを傾動自在となるように取付け、前記ブッシュには、シールド部材を設けたことである。【選択図】  図１
2010251175.tif 000002
【特許請求の範囲】
【請求項１】
装置本体にアームの出し入れによって傾動自在に取付けられたディスプレイパネルを備えた操作パネル装置であって、
前記アームに設けた貫通孔に、鍔部を設け円筒形状に形成したブッシュを介在させ、前記ディスプレイパネルに設けた係合穴にネジで螺合して、前記ディスプレイパネルを傾動自在となるように取付け、
前記ブッシュには、前記ネジに弾性接触する弾性接触片を有するシールド部材を設けたことを特徴とするブッシュコネクタ。
【請求項２】
前記シールド部材は、円筒形状に形成した前記ブッシュの中心孔であるネジ貫通孔の内周壁に等間隔で複数設けたことを特徴とする請求項１に記載のブッシュコネクタ。
【請求項３】
前記操作パネル装置は、カーナビゲーション装置である請求項１に記載のブッシュコネクタ。
【発明の詳細な説明】
【技術分野】
【０００１】
本発明は、ブッシュコネクタに関し、詳しくは筐体と開閉自在なディスプレイパネルとのヒンジ部分に取り付けられているブッシュに不要輻射対策を施す為にブッシュにシールド機構を付加したブッシュコネクタに関する。
【背景技術】
【０００２】
従来技術におけるカーナビゲーション装置は、図１５に示すように、自動車に搭載され、前面を座席の方へ向けてダッシュボード内に配設される。このカーナビゲーション装置の前面には液晶等からなるディスプレイパネル１１が設けられ、装置本体である筐体１２内部に設けてあるラックギヤの前後方向変位により傾動位置を調整自在な構造となっている。
ディスプレイパネル１１は筐体１２の前面側を覆うように傾動自在に配置される。ディスプレイパネル１１の上部結合点（図示せず）は図示していない上下方向案内レールにより上下方向へ案内され、ディスプレイパネル１１の下部結合点は、スライダ１６の前端部のアーム１５の腕部１９に設けた貫通孔２４にブッシュ２２を介在させて回動自在に結合されている。
【０００３】
ブッシュ２２は、図１６及び図１７に示すように、円筒形状に形成された円筒部３１、この円筒部３１の中心を貫通させたネジ貫通孔３２、円筒部３１の一方端部に設けた鍔部３３、鍔部３３の背面側でネジ貫通孔３２の周囲で裏側に所定幅肉厚に突出形成した台座部３４とからなる。
【０００４】
この下部結合点２１において、アーム１５の貫通孔２４にブッシュ２２を介在させて回動自在に結合する構造は、図１５及び図１８に示すように、アーム１５側の貫通孔２４にブッシュ２２の円筒部３１を係合させ、鍔部３３の面をアーム１５の面に合わせる。そして、ブッシュ２２の上部からネジ２７を差し込み、ネジ胴部２８をネジ貫通孔３２に係合させ、ネジ螺合部２９でパネル１１側の係合穴２３に螺合させ、ネジ頭３０を台座部３４に当接させることで、パネル１１を取り付ける。
【先行技術文献】
【特許文献】
【０００５】
【特許文献１】特開２００６−９２６１３号公報
【発明の概要】
【発明が解決しようとする課題】
【０００６】
しかし、従来技術で説明した、ブッシュにおいては、筐体側のアーム貫通孔にブッシュを係合させ、ネジでディスプレイパネルの係合穴に係合させる構造となっており、ブッシュでのシールドが施されていないため、ディスプレイパネルが傾動するときに不要輻射が発生するという問題がある。
【０００７】
従って、ブッシュを取り付けて係合するディスプレイパネルの傾動動作をするブッシュ自体に不要輻射対策を施すことに解決しなければならない課題を有する。
【課題を解決するための手段】
【０００８】
上記課題を解決するために、本願発明のブッシュコネクタは、次に示す構成にしたことである。
【０００９】
（１）ブッシュコネクタは、装置本体にアームの出し入れによって傾動自在に取付けられたディスプレイパネルを備えた操作パネル装置であって、前記アームに設けた貫通孔に、鍔部を設け円筒形状に形成したブッシュを介在させ、前記ディスプレイパネルに設けた係合穴にネジで螺合して、前記ディスプレイパネルを傾動自在となるように取付け、前記ブッシュには、前記ネジに弾性接触する弾性接触片を有するシールド部材を設けたことである。
（２）前記シールド部材は、円筒形状に形成した前記ブッシュの中心孔であるネジ貫通孔の内周壁に等間隔で複数設けたことを特徴とする（１）に記載のブッシュコネクタ。
（３）前記操作パネル装置は、カーナビゲーション装置である（１）に記載のブッシュコネクタ。
【発明の効果】
【００１０】
本発明によれば、ブッシュにシールド部材を施した構造にしたことにより、ディスプレイパネルの傾動動作に伴って結合点が回動してもシールド部材がネジの外周に当接して接触しているため摩擦による不要輻射を防止することができる。
【図面の簡単な説明】
【００１１】
【図１】本願発明に係るディスプレイパネルが直立状態にあるカーナビゲーション装置内を側方からみた概略図である。
【図２】同、ディスプレイパネルが中間傾動位置にある状態でカーナビゲーション装置内を側方からみた概略図である。
【図３】同、ディスプレイパネルが最大傾動位置にある状態でカーナビゲーション装置内を側方からみた概略図である。
【図４】本願発明に係るシールド機構を設けたブッシュの断面図である。
【図５】本願発明に係るシールド機構を設けたブッシュを結合点で取付けた様子を示す断面図である。
【図６】本願発明に係るシールド機構を取付けたブッシュの平面図である。
【図７】本願発明に係るシールド機構を取付けたブッシュの側面図である。
【図８】本願発明に係るシールド機構を取付けたブッシュの底面図である。
【図９】本願発明に係るシールド機構を構成するシールド部材の平面図である。
【図１０】本願発明に係るシールド機構を構成するシールド部材の正面図である。
【図１１】本願発明に係るシールド機構を構成するシールド部材の背面図である。
【図１２】本願発明に係るシールド機構を構成するシールド部材の断面図である。
【図１３】本願発明に係るシールド機構を取付けたブッシュの変形例の表からみた斜視図である。
【図１４】本願発明に係るシールド機構を取付けたブッシュの変形例の裏からみた斜視図である。
【図１５】従来技術におけるディスプレイパネルが直立状態にあるカーナビゲーション装置内を側方からみた概略図である。
【図１６】従来技術におけるブッシュを裏から見た斜視図である。
【図１７】従来技術におけるブッシュを表から見た斜視図である。
【図１８】従来技術におけるブッシュを結合点で取付けた様子を示す断面図である。
【発明を実施するための形態】
【００１２】
次に、本願発明に係るブッシュコネクタの実施形態について、図面を参照して以下説明する。
【００１３】
本願発明のブッシュコネクタは、従来技術で説明したブッシュと同様にカーナビゲーション装置に取り付けられているディスプレイパネルを傾動させるためにアームに設けた貫通孔にブッシュを介在させパネル側の係合穴にネジで傾動自在になるように係合させるもので、ブッシュにシールド機構を付加した構造となっている。
【００１４】
図１に示すように、操作パネル装置であるところのカーナビゲーション装置においては、前面が開口してディスプレイパネル１１が傾動自在に配設されている筐体１２と、装置本体である筐体１２内部において、開口面に対して両端にフレーム１３を設け、そのフレーム１３内部にレール部１４を設け、アーム１５のスライダ１６がこのレール部１４に乗るようにし、アーム１５の下部に設けた摺動片１７で摺動ガイド部１８にガイドされながらアーム１５自体を出し入れする。
アーム１５の先端側は上方向に折り曲げた腕部１９を形成し、この腕部１９の先端には下部結合点２１が存在し、この下部結合点２１においては、シールド機構を備えたブッシュ２２を係合させディスプレイパネル１１を傾動可能なように係合する係合穴２３と接続するための貫通孔２４を設けた構造となっている。尚、ディスプレイパネルを傾動させるために、下部結合点よりも上部位置に設けた上部結合点が存在するが、実施例においては省略してある。
アーム１５を出し入れするのは駆動部２５の駆動によるもので、駆動部２５はモータ、ラックギヤ等で構成されている。又、筐体１２の内部には記録媒体格納部２６が配設され、この記録媒体格納部２６に記録媒体が格納される構造となっている。
【００１５】
図１は、アーム１５が一番奥方向に動きディスプレイパネル１１が直立した状態になっている様子を示したもので、通常のディスプレイパネルの様子を示したものである。
【００１６】
図２は、所望の操作により駆動部２５が動き、アーム１５を外方向に押し出した様子を示したもので、アーム１５の腕部１９の貫通孔２４に係合されて傾動するディスプレイパネル１１は直立の状態から傾いた状態になる。
【００１７】
図３は、更にアーム１５が外方向に押し出された様子を示したもので、アーム１５の腕部１９の貫通孔２４に係合されて傾動するディスプレイパネル１１は伏せた状態になり、記録媒体格納部２６から記録媒体を取出すことが可能となる。
【００１８】
このようにアーム１５の出し入れによってディスプレイパネル１１を傾動させるために、下部結合点２１に介在させたシールド機構を備えたブッシュ２２は、図４乃至図８に示すように、円筒形状に形成された円筒部３１、この円筒部３１の中心を貫通させたネジ貫通孔３２、円筒部３１の一方端部に設けた鍔部３３、鍔部３３の背面側でネジ貫通孔３２の周囲で裏側に所定幅肉厚に突出形成した台座部３４、円筒部３１の中心に設けたネジ貫通孔３２の内周壁に均等間隔で２個のシールド部材を備えるシールド部材係合部３５を備えた構成になっている。
【００１９】
シールド部材係合部３５は、ネジ貫通孔３２の内周壁にシールド部材３６を係合するために凹部に形成し、シールド部材３６の弾性接触片を内周から内側中心方向に突出させた構造となっている。
【００２０】
シールド部材３６は、図９乃至図１２に示すように、導電性の金属性板部材で形成され、左右対称位置を同一方向に折り曲げて形成された係止片３７、中央位置を舌状に突出形成した弾性接触片３８、弾性接触片３８の基部側を後ろ方向に平行になるように折り曲げて形成された支持片３９からなる。
【００２１】
このような構造のシールド部材３６をブッシュ２２のシールド部材係合部３５に上部方向から差し込んで係合させる。そして、差し込まれたシールド部材３６の支持片３９の下端部を内側方向に折り曲げることでシールド部材３６はシールド部材係合部３５に抜け止された状態で係合する。
【００２２】
このように、シールド部材３６が組込まれたブッシュ２２は、アーム１５の下部結合点２１において、アーム１５とブッシュ２２を介在させて回動自在に結合する（図１参照）。その構造は、図５に示すように、アーム１５側の貫通孔２４にブッシュ２２の円筒部３１を係合させることでシールド部材３６の支持片３９の外側面が貫通孔２４の内周面に当接した状態となる。そして、ブッシュ２２の鍔部３３の面をアーム１５の面に付き合わせる。そして、ブッシュ２２の上部方向、即ち、ブッシュ２２の台座部３４方向からネジ２７を差し込み、ネジ胴部２８をネジ貫通孔３２に係合させる。そうすると、ネジ貫通孔３２の内周面にシールド部材３６の弾性接触片３８が当接する。この状態で、ネジ螺合部２９でパネル１１側の係合穴２３に螺合させ、ネジ頭３０を台座部３４に当接させることで、パネル１１に取り付ける。
【００２３】
このようにして、シールド部材３６の弾性接触片３８がネジ胴部２８に弾性接触して電気的に接触した状態にしてブッシュ２２を介在させることによりネジ２７を介してパネル１１側の係合穴２２とアーム１５側のネジ貫通孔３２との間で電気的な接触状態を得ることができる。
【００２４】
次に、ブッシュに取り付けてあるシールド機構の変形例を図１４及び図１５を参照して説明する。
【００２５】
ブッシュに取付けたシールド機構の変形例は、シールド部材３６をブッシュ２２のネジ貫通孔３２内周壁に等間隔に３個設けた構造となっている。
【００２６】
即ち、このブッシュ２２は、円筒形状に形成された円筒部３１、この円筒部３１の中心を貫通させたネジ貫通孔３２、円筒部３１の一方端部に設けた鍔部３３、鍔部３３の背面側でネジ貫通孔３２の周囲で裏側に所定幅肉厚に突出形成した台座部３４、円筒部３１の中心に設けたネジ貫通孔３２の内周壁に均等間隔で３個のシールド部材３６を備えるシールド部材係合部３５を備えた構成になっている。
【００２７】
シールド部材３６は、先の実施例で説明したものと同じで、図９乃至図１２に示すように、導電性の金属性板部材で形成され、左右対称位置を同一方向に折り曲げて形成された係止片３７、中央位置を舌状に突出形成した弾性接触片３８、弾性接触片３８の基部側を後ろ方向に平行になるように折り曲げて形成された支持片３９からなる。
【００２８】
シールド部材係合部３５には、シールド部材３６が台座部３４側から差し込まれて係合され、差し込まれたシールド部材３６の支持片３９の下端部を内側方向に折り曲げることでシールド部材３６はシールド部材係合部３５に抜け止された状態で係合する。
【００２９】
このようにネジ貫通孔３２内部に３個のシールド部材３６を設けた構造にすると、アーム１５の貫通孔２４の内周面に均等に接触することが可能で、より精度のよい接触状態を得ることができる。
【産業上の利用可能性】
【００３０】
ディスプレイパネルをアームの出し入れによりディスプレイパネルを傾動動作させるためにアームの下部結合点に設けたブッシュにシールド機構を設けたことにより、不要輻射を防止するブッシュコネクタを提供する。
【符号の説明】
【００３１】
１１      ディスプレイパネル
１２      筐体
１３      フレーム
１４      レール部
１５      アーム
１６      スライダ
１７      摺動片
１８      摺動ガイド部
１９      腕部
２１      下部結合点
２２      ブッシュ
２３      係合穴
２４      貫通孔
２５      駆動部
２６      記録媒体格納部
２７      ネジ
２８      ネジ胴部
２９      ネジ螺合部
３０      ネジ頭
３１      円筒部
３２      ネジ貫通孔
３３      鍔部
３４      台座部
３５      シールド部材係合部
３６      シールド部材
３７      係止片
３８      弾性接触片
３９      支持片
【図１】
2010251175.tif 000003
【図２】
2010251175.tif 000004
【図３】
2010251175.tif 000005
【図４】
2010251175.tif 000006
【図５】
2010251175.tif 000007
【図６】
2010251175.tif 000008
【図７】
2010251175.tif 000009
【図８】
2010251175.tif 000010
【図９】
2010251175.tif 000011
【図１０】
2010251175.tif 000012
【図１１】
2010251175.tif 000013
【図１２】
2010251175.tif 000014
【図１３】
2010251175.tif 000015
【図１４】
2010251175.tif 000016
【図１５】
2010251175.tif 000017
【図１６】
2010251175.tif 000018
【図１７】
2010251175.tif 000019
【図１８】
2010251175.tif 000020